(57)【要約】【課題】回転操作により閂の移動可否を切り換え可能とすること。【解決手段】固定部材２７は、扉２０を閉じた状態では、閂２４に設けられた溝２４ａに嵌合して、閂２４の移動を阻止する。また、固定部材２７は、扉２０を開放した状態では、閂２４に設けられた溝２４ｂに嵌合して閂２４の移動を阻止する。固定部材２７の溝２４ａ，２４ｂに対する嵌合および退避は、扉２０に設けられた鍵操作部２３に鍵を挿入して回転操作し、これに連動するカム２５を回転させることで切り換える。【選択図】図３
2010156105.tif 000002
【特許請求の範囲】
【請求項１】
受部に対して閂が進退することによりロックを有効または無効にするロック機構であって、
回転操作により回転動作し、ロックの有効あるいは無効を設定する第１の回転部材と、
前記第１の回転部材の回転動作に応じて固定部材により前記閂の固定状態と固定解除状態とを切り換える切換部と、
回転操作により回転動作し、前記閂を前記受部に進入する際の位置あるいは前記受部から退避する際の位置へ移動させる第２の回転部材と、
前記切換部により前記閂の固定状態に切り換えられた場合、前記第２の回転部材により移動された位置で前記固定部材と嵌合し、前記閂を前記受部に進入する際の位置あるいは前記受部から退避する際の位置で固定可能な閂固定部と、
を有することを特徴とするロック機構。
【請求項２】
前記第１の回転部材は、鍵が挿入されて回転操作されることで回転動作することを特徴とする請求項１記載のロック機構。
【請求項３】
前記閂固定部は、前記閂に備えられた第１の溝と第２の溝とであり、
前記切換部は、前記閂が前記受部に進入した状態では前記固定部材を前記第１の溝に嵌合させて前記閂を固定し、前記閂が前記受部から退避した状態では前記固定部材を前記第２の溝に嵌合させて前記閂を固定する、
ことを特徴とする請求項１または２のいずれか１項に記載のロック機構
【請求項４】
前記切換部は、前記第１の回転部材の第１の回転方向である回転動作に応じて、前記固定部材を前記第１の溝方向および前記第２の溝方向に前記第１の回転部材で押すことで、前記固定部材を前記第１の溝および前記第２の溝に嵌合させ、前記第１の回転部材の第１の回転方向とは逆方向の第２の回転方向である回転動作に応じて、前記固定部材を前記第１の溝方向および前記第２の溝方向とは逆の方向に前記第１の回転部材で押すことで前記固定部材を前記第１の溝および前記第２の溝から開放させることを特徴とする請求項３記載のロック機構。
【請求項５】
前記固定部材による前記閂の固定状態または固定解除状態とを維持するように前記第１の回転部材の回転動作後の姿勢を固定する姿勢固定部材を更に有することを特徴とする請求項１乃至４のいずれか１項に記載のロック機構。
【請求項６】
前記固定部材を前記第１の溝および前記第２の溝方向に付勢する付勢部材を更に有することを特徴とする請求項１乃至４のいずれか１項に記載のロック機構。
【請求項７】
閂が進退可能な受部、
を備える本体部と、
前記閂と、
回転操作により回転動作し、ロックの有効あるいは無効を設定する第１の回転部材と、
前記第１の回転部材の回転動作に応じて固定部材により前記閂の固定状態と固定解除状態とを切り換える切換部と、
回転操作により回転動作し、前記閂を前記受部に進入する際の位置あるいは前記受部から退避する際の位置へ移動させる第２の回転部材と、
前記切換部により前記閂の固定状態に切り替えられた場合、前記第２の回転部材により移動された位置で前記固定部材と嵌合し、前記閂を前記受部に進入する際の位置あるいは前記受部から退避する際の位置で固定可能な閂固定部と、
を備える扉と、
を有することを特徴とする収納装置。
【発明の詳細な説明】
【技術分野】
【０００１】
本発明は、ロック機構および収納装置に関し、閂を用いたロック機構およびこのようなロック機構を備えた収納装置に関する。
【背景技術】
【０００２】
扉の開放を阻止するためのロック機構として、閂を用いるものがある。このロック機構は、閂と受部とを有する。閂は、例えば、扉に設けられる。受部は、例えば、扉による開閉の対象となる筐体に設けられる。そして、閂が受部に備えられた嵌合穴に進入すると、扉の開放が阻止された状態（閉状態）となる。また、閂が嵌合穴から退避すると、扉が開放可能な状態となる。
【０００３】
ところで、セキュリティ向上のために、閉状態の扉の開放可否を鍵によって操作することが考えられる。例えば、扉の開放操作を行うためのハンドルの固定／固定解除を鍵の施錠操作／開錠操作により行う方法が知られている（例えば、特許文献１，２参照）。閂を設けた扉も、鍵による開錠操作によってのみ開放可能な状態とすることができる。以下、このための扉の構成に関して説明する。
【０００４】
図１９は、従来の閂を設けた扉の構成の一部を示す第１の図である。（Ａ）は扉を閉状態に固定した状態（施錠状態）、（Ｂ）は扉を開放するために開錠操作を行った状態を示している。扉５０は、例えば、筐体（図示せず）に設けられた扉である。図１９は、扉５０を裏面（筐体に対して閉じた状態のときに筐体内部側となる面）から見た場合を示している。扉５０は、裏打部材５１、回動部５２、閂５３、カム５４、ケース部材５５、固定部材５６、ボルト５７および閂操作用機構５８を有する。
【０００５】
裏打部材５１は、扉５０の扉板の背面に設けられる。裏打部材５１は、ケース部材５５や閂操作用機構５８を支持する。
回動部５２は、扉前面に設けられた鍵挿入部の回転と連動して回転する。回動部５２の鍵挿入部に対して反対側の端部には、カム５４が支持される。
【０００６】
閂５３は、筐体に設けられた受部の嵌合穴に進退することで扉５０を開放する、および開放阻止する。閂５３の嵌合穴に対する進退の操作は、閂操作用機構５８により行われる。閂５３は、突出部５３ａ、長穴５３ｂおよび溝５３ｃを有する。
【０００７】
突出部５３ａは、嵌合穴に嵌合する部分である。
長穴５３ｂは、閂５３に複数箇所設けられる。長穴５３ｂには、ボルト５７が貫通している。長穴５３ｂは、ボルト５７により閂５３の動作方向および動作距離を制限することで、閂５３の動作方向等を誘導する。
【０００８】
溝５３ｃは、固定部材５６が嵌合されて閂５３の移動を不可とするためのものである。
カム５４は、回動部５２と軸５４ａを介して接続されるＬ字板状（Ｖ字板状でも良い）の部材である。カム５４は、回動部５２の回転に連動して軸５４ａを中心として回転する。カム５４は、この回転により、Ｌ字の両端のうちのいずれかが固定部材５６を押し上げ、または、押し下げることで、閂５３の操作可否を変更することができる。具体的には、（Ａ）は押し下げた状態で閂５３の操作が不可であり、（Ｂ）は押し上げた状態で閂５３の操作が可となった状態である。なお、カム５４は、姿勢固定用バネ６１を接続するための軸５４ｂを有している。姿勢固定用バネ６１により、カム５４は（Ａ）の姿勢、または、（Ｂ）の姿勢が維持される。
【０００９】
ケース部材５５は、Ｕ字型形状を有しており、カム５４により操作される固定部材５６をそのＵ字型形状の内側に保持する。ケース部材５５には、固定部材５６の突起部を貫通させるための長穴を有する。ケース部材５５は、この長穴により、突起部の動作方向および動作距離を制限することで、固定部材５６の動作方向等を誘導する。ケース部材５５は、突起部５５ａを有する。突起部５５ａは、姿勢固定用バネ６１を接続するための部材である。
【００１０】
ここで、姿勢固定用バネ６１は、各端部が軸５４ｂおよび突起部５５ａに接続される。そして、軸５４ｂを突起部５５ａの姿勢固定用バネ６１の接続点方向に付勢することで、カム５４の姿勢を維持する。
【００１１】
固定部材５６は、閂５３の操作可否を変更するための部材である。固定部材５６は、突起部５６ａを有している。この突起部５６ａは、ケース部材５５に設けられた長穴を貫通する。また、この突起部５６ａは、カム５４の端部により押し上げ、または、押し下げられる。これにより、固定部材５６が溝５３ｃに嵌合解除、または、嵌合され、閂５３の操作可否が変更される。
【００１２】
ボルト５７は、閂５３の複数箇所ある長穴５３ｂを貫通するように扉板に複数設けられる。ボルト５７は、閂５３を支持すると共に、閂５３を長穴５３ｂの長軸方向に移動させるためのものである。
【００１３】
閂操作用機構５８は、扉前面に設けられたハンドルの回動操作に連動して回動する。閂操作用機構５８は、この回動動作によって閂５３を嵌合穴に対して進入および退避させる。
【００１４】
扉を開閉し内部ユニット等の運用・保守を行う操作者は、扉５０の前面にある錠を開錠してハンドルを回動させることで、扉５０を開放することができる。このときの扉５０の動作を具体的に説明する。
【００１５】
（１）扉５０の閉状態のロック機構は（Ａ）の状態となっている。このとき、閂５３は、筐体の受部に設けられた嵌合穴に嵌合している。また、固定部材５６が閂５３の溝５３ｃに嵌合している。このため、ハンドルを回動させようとしても、固定部材５６により閂５３の移動が阻止される。すなわち、扉５０が筐体に対して閉状態であり、閂５３の移動が阻止された施錠状態である。
【００１６】
（２）扉を開閉し内部ユニット等の運用・保守を行う操作者は、扉５０の前面に設けられた鍵穴に所定の鍵を挿入し、例えば、扉５０の裏面から見て時計回りに回転させる。すると、回動部５２が回転し、それに連動してカム５４が軸５４ａを中心として時計回りに回転する。このとき、カム５４の一端が固定部材５６の突起部５６ａを上に押し上げて、固定部材５６を溝５３ｃから開放する。カム５４は、姿勢固定用バネ６１により、この姿勢が維持される。この状態が（Ｂ）の状態である。
【００１７】
図２０は、従来の閂を設けた扉の構成の一部を示す第２の図である。（Ａ）は扉を開放するために開錠操作を行った状態（開放状態）、（Ｂ）は扉を閉状態に固定した状態（施錠状態）を示している。図２０（Ａ）は、図１９（Ｂ）の次の動作を示している。
【００１８】
（３）扉を開閉し内部ユニット等の運用・保守を行う操作者は、ハンドルを扉５０の裏面から見て時計回りに回動させる。すると、閂操作用機構５８が時計回りに回動し、閂５３を長穴５３ｂに沿って移動させる。その結果、閂５３が嵌合穴から退避して、扉５０が開放された状態となる。カム５４は、姿勢固定用バネ６１により、その姿勢が維持される。この状態が（Ａ）の状態である。
【００１９】
ここで、扉５０を開放した状態のまま、扉５０の前面に設けられた鍵穴に差し込んだ鍵を抜いて、他の部分を開放する場合がある。例えば、他の箇所の開錠に、扉５０の鍵と同一の鍵を用いる、または、扉５０の鍵と同一の鍵保持体に収容された別の鍵を用いる場合等がある。しかし、扉５０は、閉状態で必ず施錠させるために、開錠された状態では抜けないようになっている。この場合、鍵を抜くために以下の（４）の動作が必要となる。
【００２０】
（４）扉を開閉し内部ユニット等の運用・保守を行う操作者は、ハンドルを扉５０の裏面から見て反時計回りに回動させる。その後、扉を開閉し内部ユニット等の運用・保守を行う操作者は、扉５０に挿入した鍵を扉５０の裏面から見て反時計回りに回動させる。すると、この回動動作に連動してカム５４が最初の位置に戻る。このとき、カム５４により固定部材５６が押し下げられて、溝５３ｃに嵌合する。そして、扉を開閉し内部ユニット等の運用・保守を行う操作者は、鍵を抜いて、他の箇所の開錠を行い、操作を継続する。
【００２１】
この場合、閂５３の突出部５３ａが突出したまま扉５０が開放状態になる。このため、突出部５３ａが筐体の受部と衝突して、閂５３や受部が破損・変形する可能性がある。
このような問題を解決するために、扉が開放状態のときにはデッドボルト（本願の閂５３の突出部５３ａに相当）の突出を防止し、扉が閉じている間にのみデッドボルトの操作を可能とする方法が知られている（例えば、特許文献３参照）。
【特許文献１】特開２００２−２６６５２９号公報
【特許文献２】特開２００２−２６６５３４号公報
【特許文献３】特開平０６−２９９７５０号公報
【発明の開示】
【発明が解決しようとする課題】
【００２２】
しかし、上記特許文献３に記載の方法では、閉状態の閂を鍵で施錠して固定する構成への適用は考慮されていない。これに対し、上記（４）の動作においても、鍵を抜き取る場合には閂が突出しないよう固定した状態を維持することが望まれる。
【００２３】
本発明はこのような点に鑑みてなされたものであり、回転操作により閂の移動可否を切り換え可能なロック機構および収納装置を提供することを目的とする。
【課題を解決するための手段】
【００２４】
上記課題を解決するために、受部に対して閂が進退することによりロックを有効または無効にするロック機構が提供される。このロック機構は、回転操作により回転動作し、ロックの有効あるいは無効を設定する第１の回転部材と、第１の回転部材の回転動作に応じて固定部材により閂の固定状態と固定解除状態とを切り換える切換部と、回転操作により回転動作し、閂を受部に進入する際の位置あるいは受部から退避する際の位置へ移動させる第２の回転部材と、切換部により閂の固定状態に切り換えられた場合、第２の回転部材により移動された位置で固定部材と嵌合し、閂を受部に進入する際の位置あるいは受部から退避する際の位置で固定可能な閂固定部と、を有する。
【００２５】
このようなロック機構によれば、切換部により、受部に進入した閂および受部から退避した閂の固定状態と固定解除状態とが、第１の回転部材の回転動作に応じて切り換えられる。
【００２６】
ここで、回転部材は、例えば、鍵が挿入されて回転操作されることで回転動作する。
また、上記課題を解決するために収納装置が提供される。この収納装置は、本体部と扉とを有する。本体部は、閂が進退可能な受部を有する。扉は、閂と、回転操作により回転動作し、ロックの有効あるいは無効を設定する第１の回転部材と、第１の回転部材の回転動作に応じて固定部材により閂の固定状態と固定解除状態とを切り換える切換部と、回転操作により回転動作し、閂を受部に進入する際の位置あるいは受部から退避する際の位置へ移動させる第２の回転部材と、切換部により閂の固定状態に切り換えられた場合、第２の回転部材により移動された位置で固定部材と嵌合し、閂を受部に進入する際の位置あるいは受部から退避する際の位置で固定可能な閂固定部と、を有する。
【００２７】
このような収納装置によれば、切換部により、受部に進入した閂および受部から退避した閂の固定状態と固定解除状態とが、回転部材の回転動作に応じて切り換えられる。
ここで、回転部材は、例えば、鍵が挿入されて回転操作されることで回転動作する。
【発明の効果】
【００２８】
上記ロック機構および収納装置によれば、回転操作により閂の移動可否を切り換えることが可能となる。
【発明を実施するための最良の形態】
【００２９】
以下、本実施の形態を図面を参照して詳細に説明する。
［第１の実施の形態］
以下、第１の実施の形態を図面を参照して詳細に説明する。
【００３０】
図１は、収納装置の外観（背面）を示す図である。（Ａ）は背面に設けられた扉が閉じた状態、（Ｂ）は、この扉が開放された状態を示している。収納装置１は、例えば、現金自動預け払い装置（ＡＴＭ：Automated Teller Machine）である。収納装置１の内部には、物品や貨幣を収納するための収納部が設けられている。収納装置１は、本体１０および扉２０を有する。
【００３１】
本体１０は、収納装置１の所定の演算機能、操作機能および表示機能等を備える。また、本体１０は収納部を備える。本体１０は、例えば、収納部に収納された貨幣の数量等を、その演算機能により管理する。本体１０は、扉２０に備えられた閂（図示せず）を嵌合させるための受部１１を有する。受部１１には、閂が備える突出部を嵌合させるための嵌合穴１１ａが設けられている。
【００３２】
扉２０は、本体１０の収納部に対して開閉する扉である。扉２０は、扉板２１、ハンドル２２、鍵操作部２３および本体１０と嵌合し扉を閉状態または開状態とするロック機構を有する。
【００３３】
扉板２１は、扉２０の各部を支持する板状の部材である。扉板２１は、収納部に対して開閉可能となるよう本体１０に接続される。
ハンドル２２は、閂を操作するための取っ手である。扉を開閉し内部ユニット等の運用・保守を行う操作者は、ハンドル２２を回動操作することで、閂を受部１１に対して進退させることができる。
【００３４】
鍵操作部２３は、鍵を挿入して操作するためのものである。扉を開閉し内部ユニット等の運用・保守を行う操作者は、鍵操作部２３に鍵を挿入して鍵を回動操作することで、閂の移動可否を変更できる。すなわち、施錠された状態では、ハンドル２２の回動操作が不可となる。このため、（Ａ）の状態で施錠することで、特定の鍵を持つ扉を開閉し内部ユニット等の運用・保守を行う操作者のみが扉２０を開放可能として、セキュリティ性を向上することができる。そして、この状態の鍵操作部２３に鍵を挿入して回動操作し、更にハンドル２２を回動操作して引くことで、（Ｂ）のような開状態となる。
【００３５】
図２は、第１の実施の形態の閉状態の扉を示す図である。（Ａ）は上面図、（Ｂ）は扉裏面（閉状態のときに収納部側となる面）から見た側面図を示している。図２は、図１（Ａ）に対応する。扉２０は、扉板２１、鍵操作部２３、閂２４、カム２５、ケース部材２６、固定部材２７およびボルト２８を有する。ただし、図１に示したハンドル２２およびハンドル２２により閂２４を操作するための機構は、図示を省略してある。また、ボルト２８は（Ａ）の上面図において図示を省略してある。
【００３６】
鍵操作部２３は、その回動操作に連動して回動する回動部２３ａを有している。
閂２４は、その突起部が受部１１の嵌合穴１１ａに嵌合して、扉２０の開放を阻止する。閂２４は、溝２４ａ，２４ｂおよび長穴２４ｃを有する。
【００３７】
溝２４ａ，２４ｂは、固定部材２７が嵌合されて閂２４の操作を不可とするためのものである。なお、扉２０の閉状態では、溝２４ａに固定部材２７が嵌合することになる。
長穴２４ｃは、閂２４に複数設けられる。長穴２４ｃには、ボルト２８が貫通している。長穴２４ｃは、ボルト２８の動作方向および動作距離を制限することで、閂２４の動作方向等を誘導する。
【００３８】
カム２５は、回動部２３ａの鍵操作部２３と反対側の端部に保持される。カム２５は、Ｌ字板状の部材である。カム２５は、扉２０の閉状態において、Ｌ字の一方の端部が下側を向き、他方の端部が固定部材２７の突起部２７ａの上部に当接するように設けられる。この配置を、初期配置とする。鍵操作部２３には、カム２５が初期配置となっている場合にのみ鍵を挿抜可能である。カム２５は、回動部２３ａの回動動作に連動して回動する。
【００３９】
ケース部材２６は、Ｕ字型形状を有しており、カム２５により操作される固定部材２７をそのＵ字型形状の内側に保持する。ケース部材２６には、固定部材２７の突起部２７ａを貫通させるための長穴を有する。ケース部材２６は、この長穴により、突起部２７ａの動作方向および動作距離を制限することで、固定部材２７の動作方向等を誘導する。
【００４０】
固定部材２７は、閂２４の操作可否を変更するための部材である。固定部材２７は、突起部２７ａを有している。突起部２７ａは、ケース部材２６に設けられた複数の長穴を貫通する。また、突起部２７ａは、カム２５の端部により押し上げ、または、押し下げられる。これにより、固定部材２７が溝２４ａ，２４ｂに対して嵌合解除、または、嵌合され、閂２４の操作可否が変更される。
【００４１】
ボルト２８は、複数の長穴２４ｃを貫通するように扉板に複数設けられる。ボルト２８は、閂２４を支持すると共に、閂２４を長穴２４ｃの長軸方向に移動させるためのものである。なお、長軸方向の長さは、閂２４の移動距離として、固定部材２７が溝２４ａに嵌合する位置から溝２４ｂに嵌合する位置の間の距離となるよう予め決められる。
【００４２】
このように、扉２０の閉状態では閂２４の突出部が受部１１の嵌合穴１１ａと嵌合することで、扉２０の開放が阻止される。このとき、固定部材２７が閂２４の溝２４ａに嵌合しているので、閂２４の移動も阻止される。
【００４３】
閂２４を移動可能とするためには、鍵操作部２３に鍵を挿入して、例えば扉裏面から見て時計回りに９０度回動操作する。すると、カム２５の下向きとなっている端部が突起部２７ａを押し上げて、固定部材２７が溝２４ａから開放される。このようにして、閂２４はハンドル２２によって操作可能となる。
【００４４】
図３は、第１の実施の形態の開状態の扉を示す図である。（Ａ）は上面図、（Ｂ）は扉裏面から見た側面図を示している。図３は、図１（Ｂ）に対応する。図３は、閉状態から長穴２４ｃの長軸方向に沿って閂２４を移動させ、更に、鍵操作部２３に鍵を挿入して扉裏面から見て反時計回りに回動操作した後を示している。このとき、固定部材２７は、閂２４の溝２４ｂに嵌合する。これにより、閂２４の移動が阻止される。
【００４５】
このように、閂２４に溝２４ａ，２４ｂを設ける。そして、固定部材２７を閉状態では溝２４ａに、開状態では溝２４ｂに嵌合させるようにすることで、各状態において閂の移動が不可となる。このとき、各状態において、カム２５が初期配置となるので、鍵を抜くことができる。すなわち、扉２０を開放状態とした場合に、閂２４の突出を防止して、鍵を挿抜可能とすることができる。これにより、閂２４が受部１１と衝突することがなくなるので、閂２４や受部１１の破損・変形が防止される。また、鍵を抜く際に、閂２４を移動させる必要がなくなるので、閂２４の突出部が指等に接触して傷つける等の事故が防止される。また、抜いた鍵やこの鍵と同一の鍵保持体に保持された別の鍵を他の箇所の開錠に用いることができるので、作業性が良く、また、鍵の管理が容易となる。
【００４６】
なお、扉２０の開放状態であっても、閂２４を突出した状態で固定することも可能である。
［第２の実施の形態］
以下、第２の実施の形態を図面を参照して詳細に説明する。前述の第１の実施の形態との相違点を中心に説明し、同様の事項については説明を省略する。
【００４７】
図４は、第２の実施の形態の扉を示す第１の図である。扉２０ａは、収納装置１が備える扉２０に対応する。図４は、扉２０ａを裏面（閉状態としたときに収納部側となる面）から見た場合の斜視図（図５〜７も同様）である。図４は、扉２０ａが閉状態となっている場合を示している。扉２０ａは、扉２０と同様に扉板２１、ハンドル２２および鍵操作部２３を有するが、これらは図示を省略する。扉２０ａは、更に、閂２４、カム２５、ケース部材２６、固定部材２７、ボルト２８および閂操作用機構２９を有する。ただし、閂２４、カム２５、ケース部材２６、固定部材２７およびボルト２８は、図２で同一の符号を付して説明した構成と同一であるため説明を省略する。
【００４８】
なお、扉板２１は、裏打部材２１ａを有する。裏打部材２１ａは、ケース部材２６や閂操作用機構２９を支持する。
閂操作用機構２９は、扉を開閉し内部ユニット等の運用・保守を行う操作者がハンドル２２を回動操作することで、閂２４を移動させるための機構である。例えば、扉を開閉し内部ユニット等の運用・保守を行う操作者がハンドル２２を扉２０ａの裏面から見て時計回りに回動させると、受部１１から閂２４を退避させる方向に閂２４を移動することができる。このとき、長穴２４ｃによってボルト２８が誘導されることで、閂２４全体の移動方向および移動距離が制限される。
【００４９】
扉２０ａでは、カム２５に設けられた接続部２５ｂとケース部材２６に設けられた突起部２６ａとを姿勢固定用バネ３１で接続する。姿勢固定用バネ３１は、接続部２５ｂを突起部２６ａの姿勢固定用バネ３１の接続点方向に付勢することで、カム２５の姿勢を維持する。すなわち、鍵操作部２３を回動操作すると、カム２５の配置をその一端が突起部２７ａと当接するように維持されるので、鍵も回動操作後の状態に保持される。
【００５０】
図４の状態では、固定部材２７が閂２４の溝２４ａに嵌合しているため、ハンドル２２を回動操作することができない。扉２０を開放するためには、固定部材２７の溝２４ａへの嵌合を開放（すなわち、開錠）して、ハンドル２２を回動操作する。
【００５１】
以下、扉２０ａを開放する動作を順に説明する。
図５は、第２の実施の形態の扉を示す第２の図である。図５の状態は、図４の状態から遷移したものである。
【００５２】
扉を開閉し内部ユニット等の運用・保守を行う操作者は、鍵操作部２３に挿入した鍵を、扉２０ａの裏面から見て時計回りに回動操作する。すると、カム２５が回動部２３ａと連動して時計回りに回動する。このとき、カム２５の一端が突起部２７ａを押し上げて固定部材２７を溝２４ａから開放する。カム２５は、姿勢固定用バネ３１により、その姿勢が維持される。この状態が図５の状態である。
【００５３】
図６は、第２の実施の形態の扉を示す第３の図である。図６の状態は、図５の状態から遷移したものである。
扉を開閉し内部ユニット等の運用・保守を行う操作者は、ハンドル２２を扉２０ａの裏面から見て時計回りに回動操作する。すると、閂操作用機構２９がハンドル２２の回動動作に連動して時計回りに回動し、閂２４が長穴２４ｃの長軸方向に移動する。このときの移動方向は、閂２４が受部１１から退避する方向である。この状態が図６の状態である。閂２４が受部１１から完全に退避されるため、扉を開閉し内部ユニット等の運用・保守を行う操作者はハンドル２２を引くことで扉２０ａを開放することができる。
【００５４】
図７は、第２の実施の形態の扉を示す第４の図である。図７の状態は、図６の状態から遷移したものである。
扉を開閉し内部ユニット等の運用・保守を行う操作者は、鍵操作部２３に挿入された鍵を扉２０ａの裏面から見て反時計回りに回動操作する。すると、カム２５が回動部２３ａと連動して反時計回りに回動する。このとき、カム２５の一端が突起部２７ａを押し下げて固定部材２７を溝２４ｂに嵌合させる。カム２５は、姿勢固定用バネ３１により、その姿勢が維持される。この状態が図７の状態である。この状態では、カム２５が初期配置となるので、鍵を鍵操作部２３から抜くことができる。
【００５５】
このように、閂２４に溝２４ａ，２４ｂを設ける。そして、固定部材２７を閉状態では溝２４ａに、開状態では２４に嵌合させるようにすることで、各状態において閂の移動が不可となる。このとき、各状態において、カム２５が初期配置となるので、鍵を抜くことができる。すなわち、扉２０を開放状態とした場合に、閂２４の突出を防止して、鍵を挿抜可能とすることができる。これにより、閂２４が受部１１と衝突することがなくなるので、閂２４や受部１１の破損・変形が防止される。また、鍵を抜く際に、閂２４を移動させる必要がなくなるので、閂２４の突出部が指等に接触して傷つける等の事故が防止される。また、抜いた鍵やこの鍵と同一の鍵保持体に保持された別の鍵を他の箇所の開錠に用いることができるので、操作性が良く、また、鍵の管理が容易となる。
【００５６】
更に、扉２０ａでは、姿勢固定用バネ３１を設けることで、カム２５を鍵の回動操作後の姿勢に維持することができる。
図８は、第２の実施の形態のカムの構成を示す図である。（Ａ）は開錠した状態、（Ｂ）は施錠した状態を示している。
【００５７】
（Ａ）では、鍵の回動操作に連動してカム２５の一端が突起部２７ａを押し上げることで、固定部材２７が溝２４ａから開放される。このとき、カム２５の接続部２５ｂは、ケース部材２６の突起部２６ａと姿勢固定用バネ３１との接続部２６ｂの方向に付勢されるので、回動操作後の姿勢が維持される。
【００５８】
（Ｂ）では、（Ａ）とは逆方向の鍵の回動操作に連動してカム２５の一端が突起部２７ａを押し下げることで、固定部材２７が溝２４ｂに嵌合される。このとき、カム２５の接続部２５ｂは、接続部２６ｂの方向に付勢されるので、回動操作後の姿勢が維持される。
【００５９】
このようにして、カム２５は、姿勢固定用バネ３１により、その姿勢が維持される。このため、特に（Ａ）の状態において重力によって固定部材２７が落下して、回動操作した鍵が回動操作前の状態に戻ることを防止できる。したがって、扉を開閉し内部ユニット等の運用・保守を行う操作者は、操作済みの鍵を意識することなく、ハンドル２２の回動操作を行うことができる。
【００６０】
［第３の実施の形態］
以下、第３の実施の形態を図面を参照して詳細に説明する。前述の第１，２の実施の形態との相違点を中心に説明し、同様の事項については説明を省略する。
【００６１】
図９は、第３の実施の形態の扉を示す第１の図である。扉２０ｂは、収納装置１が備える扉２０に対応する。図９は、扉２０ｂを裏面（閉状態としたときに収納部側となる面）から見た場合の斜視図である（図１０〜１２も同様）。図９は、扉２０ｂが閉状態となっている場合を示している。扉２０ｂは、扉２０と同様に扉板２１、ハンドル２２および鍵操作部２３を有するが、これらは図示を省略する。扉２０ｂは、更に、閂２４、カム２５、ケース部材２６、固定部材２７、ボルト２８および閂操作用機構２９を有する。ただし、これらの各部は、第１の実施の形態の扉２０ａで同一の符号を付して説明した構成と同一であるため、説明を省略する。
【００６２】
ここで、扉板２１は、裏打部材２１ａおよび裏打部材２１ａに備えられた支持部材２１ｂを有する。支持部材２１ｂは、バネ３２を支持する。バネ３２は、固定部材２７を下向きに付勢する。
【００６３】
図９の状態では、固定部材２７が閂２４の溝２４ａに嵌合しているため、ハンドル２２を回動操作することができない。扉２０を開放するためには、固定部材２７の溝２４ａへの嵌合を開放（すなわち、開錠）して、ハンドル２２を回動操作する。
【００６４】
以下、扉２０ｂを開放する動作を順に説明する。
図１０は、第３の実施の形態の扉を示す第２の図である。図１０の状態は、図９の状態から遷移したものである。
【００６５】
扉を開閉し内部ユニット等の運用・保守を行う操作者は、鍵操作部２３に挿入した鍵を、扉２０ｂの裏面から見て時計回りに回動操作する。すると、カム２５が回動部２３ａと連動して時計回りに回動する。このとき、カム２５の一端が突起部２７ａを押し上げて固定部材２７を溝２４ａから開放する。この状態が図１０の状態である。ただし、このとき固定部材２７は、バネ３２によって、下向きに付勢されるので、カム２５の姿勢を維持する必要がある。このため、扉を開閉し内部ユニット等の運用・保守を行う操作者は、鍵を回動操作後の状態に保持する。
【００６６】
図１１は、第３の実施の形態の扉を示す第３の図である。図１１の状態は、図１０の状態から遷移したものである。
扉を開閉し内部ユニット等の運用・保守を行う操作者は、ハンドル２２を扉２０ｂの裏面から見て時計回りに回動操作する。すると、閂操作用機構２９がハンドル２２の回動動作に連動して時計回りに回動し、閂２４が長穴２４ｃの長軸方向に移動する。このときの移動方向は、閂２４が受部１１から退避する方向である。このようなハンドル２２の回動操作後の状態が図１１の状態である。
【００６７】
なお、これらの各動作を行うために、扉を開閉し内部ユニット等の運用・保守を行う操作者は、カム２５がバネ３２によって付勢される力と釣り合うように、鍵を回動操作した状態を保持する。例えば、扉を開閉し内部ユニット等の運用・保守を行う操作者は、鍵を一方の手で回して回動操作した後、その状態をその手で保持したまま、ハンドル２２を他方の手で回動操作する。
【００６８】
図１２は、第３の実施の形態の扉を示す第４の図である。図１２の状態は、図１１の状態から遷移したものである。
扉を開閉し内部ユニット等の運用・保守を行う操作者は、回動操作した状態で保持した鍵について、この保持を解除する。例えば、扉を開閉し内部ユニット等の運用・保守を行う操作者は、鍵から手を放す。すると、バネ３２によって、固定部材２７が押し下げられる。そして、固定部材２７は、溝２４ｂに嵌合する。このとき、突起部２７ａによってカム２５の突起部２７ａと当接する端部も押し下げられるので、カム２５も反時計回りに回動して初期配置に戻る。この状態が図１２の状態である。この状態では、カム２５が初期配置となるので、鍵を鍵操作部２３から抜くことができる。
【００６９】
このように閂２４に溝２４ａ，２４ｂを設ける。そして、固定部材２７を閉状態では溝２４ａに、開状態では２４に嵌合させるようにすることで、各状態において閂の移動が不可となる。このとき、各状態において、カム２５が初期配置となるので、鍵を抜くことができる。すなわち、扉２０を開放状態とした場合に、閂２４の突出を防止して、鍵を挿抜可能とすることができる。これにより、閂２４が受部１１と衝突することがなくなるので、閂２４や受部１１の破損・変形が防止される。また、鍵を抜く際に、閂２４を移動させる必要がなくなるので、閂２４の突出部が指等に接触して傷つける等の事故が防止される。また、抜いた鍵やこの鍵と同一の鍵保持体に保持された別の鍵を他の箇所の開錠に用いることができるので、作業性が良く、また、鍵の管理が容易となる。
【００７０】
また、扉２０ｂは、固定部材２７を下向きに付勢するバネ３２を備えている。このため、扉を開閉し内部ユニット等の運用・保守を行う操作者は、図１１の状態から鍵を保持する手を放すのみで自動的に固定部材２７が溝２４ｂに嵌合させることができる。すなわち、第２の実施の形態に比べて、ハンドル２２の回動操作後に、扉を開閉し内部ユニット等の運用・保守を行う操作者が鍵を抜くための回動操作を行う必要がなくなり、作業効率が向上する。
【００７１】
［第４の実施の形態］
以下、第４の実施の形態を図面を参照して詳細に説明する。前述の第１〜３の実施の形態との相違点を中心に説明し、同様の事項については説明を省略する。
【００７２】
図１３は、第４の実施の形態の扉を示す第１の図である。扉２０ｄは、収納装置１が備える扉２０に対応する。図１３は、扉２０ｄを裏面（閉状態としたときに収納部側となる面）から見た場合の斜視図（図１４〜１６も同様）である。図１３は、扉２０ｄが閉状態となっている場合を示している。扉２０ｄは、扉２０と同様に扉板２１、ハンドル２２および鍵操作部２３を有するが、これらは図示を省略する。扉２０ｄは、更に、閂２４、カム２５、ケース部材２６、固定部材２７、ボルト２８および閂操作用機構２９を有する。ただし、これらの各部は、第１の実施の形態の扉２０ａで同一の符号を付して説明した構成と同一であるため、説明を省略する。
【００７３】
ここで、扉２０ｄは、鍵操作部２３に鍵を挿入して回動操作する際に、扉２０ｄの裏面から見て反時計回りに回動させる点が第２の実施の形態の扉２０ａと異なる。すなわち、回動部２３ｂは、鍵の回転操作に連動して反時計回りに回動する。これにより、カム２５も反時計回りに回動することになる。このため、カム２５およびケース部材２６は、扉２０ａのこれら各部とは左右対称に配設されることになる。
【００７４】
なお、扉２０ｄでは、カム２５に設けられた接続部２５ｂとケース部材２６に設けられた突起部２６ａとを姿勢固定用バネ３１で接続する。姿勢固定用バネ３１は、接続部２５ｂを突起部２６ａの姿勢固定用バネ３１の接続点方向に付勢することで、カム２５の姿勢を維持する。すなわち、鍵操作部２３を回動操作すると、カム２５の配置をその一端が突起部２７ａと当接する配置に維持されるので、鍵も回動操作後の状態に保持される。
【００７５】
図１３の状態では、固定部材２７が閂２４の溝２４ａに嵌合しているため、ハンドル２２を回動操作することができない。扉２０を開放するためには、固定部材２７の溝２４ａへの嵌合を開放（すなわち、開錠）して、ハンドル２２を回動操作する。
【００７６】
以下、扉２０ｄを開放する動作を順に説明する。
図１４は、第４の実施の形態の扉を示す第２の図である。図１４の状態は、図１３の状態から遷移したものである。
【００７７】
扉を開閉し内部ユニット等の運用・保守を行う操作者は、鍵操作部２３に挿入した鍵を、扉２０ｄの裏面から見て反時計回りに回動操作する。すると、カム２５が回動部２３ａと連動して反時計回りに回動する。このとき、カム２５の一端が突起部２７ａを押し上げて固定部材２７を溝２４ａから開放する。カム２５は、姿勢固定用バネ３１により、その姿勢が維持される。この状態が図１４の状態である。
【００７８】
図１５は、第４の実施の形態の扉を示す第３の図である。図１５の状態は、図１４の状態から遷移したものである。
扉を開閉し内部ユニット等の運用・保守を行う操作者は、ハンドル２２を扉２０ｄの裏面から見て時計回りに回動操作する。すると、閂操作用機構２９がハンドル２２の回動動作に連動して時計回りに回動し、閂２４が長穴２４ｃの長軸方向に移動する。このときの移動方向は、閂２４が受部１１から退避する方向である。この状態が図１５の状態である。閂２４が受部１１から完全に退避されるため、扉を開閉し内部ユニット等の運用・保守を行う操作者はハンドル２２を引くことで扉２０ｄを開放することができる。
【００７９】
図１６は、第４の実施の形態の扉を示す第４の図である。図１６の状態は、図１５の状態から遷移したものである。
扉を開閉し内部ユニット等の運用・保守を行う操作者は、鍵操作部２３に挿入された鍵を扉２０ｄの裏面から見て時計回りに回動操作する。すると、カム２５が回動部２３ａと連動して時計回りに回動する。このとき、カム２５の一端が突起部２７ａを押し下げて固定部材２７を溝２４ｂに嵌合させる。カム２５は、姿勢固定用バネ３１により、その姿勢が維持される。この状態が図１６の状態である。この状態では、カム２５が初期配置となるので、鍵を鍵操作部２３から抜くことができる。
【００８０】
このように、カム２５およびケース部材２６を扉２０ａに対して左右対称に設けることで、扉２０ａとは逆回りに鍵を回動操作する扉２０ｄに対しても第２の実施の形態と同様の効果を得ることができる。
【００８１】
なお、扉２０ｄに対しても、前述の第４の実施の形態の突起部２４ｄのように閂２４の移動と共にカム２５を押す構成を設けて、ハンドル２２の回動操作後に自動的に閂２４の移動を付加とするようにしてもよい。
【００８２】
また、第３の実施の形態で示したバネ３２を第３の実施の形態とは逆回りで鍵を回動操作する扉に適用することもできる。
次に、固定部材２７による閂２４の他の固定方法を説明する。
【００８３】
図１７は、固定部材による閂の他の固定方法を示す図である。（Ａ）は開錠した状態、（Ｂ）は施錠動作中の状態を示している。
この方法では、閂２４に凸部２４ｅを設ける。また、固定部材２７の内側に空間を設けて、凸部２４ｅに被せることができるようにする。そして、扉が閉状態のときは、溝２４ａに固定部材２７を嵌合させて閂２４の移動を阻止する。また、扉が開状態のときは、凸部２４ｅに固定部材２７を被せて閂２４の移動を阻止する。
【００８４】
図１７に示す方法は、前述の第１〜４の実施の形態に適用可能である。ただし、第４の実施の形態に適用する場合、カム２５および姿勢固定用バネ３１は、左右対称に配設する。
【００８５】
このようにすると、閂２４の移動距離が短い場合にも、第１〜４の実施の形態と同様の効果を得ることができる。
また、例えば、閂２４の移動距離が短い場合には、溝２４ａと溝２４ｂとの溝内側の幅が狭くなり、固定部材２７の幅を小さく、部材を薄くすることが考えられる。しかし、このようにすると固定部材２７の強度が弱くなる可能性がある。一方、図１７のようにすると、固定部材２７に所定の大きさ／厚さを保つことができるので、強度の低減を抑止できる。
【００８６】
図１８は、カムの他の形状を示す図である。（Ａ）は開錠した状態、（Ｂ）は施錠した状態を示している。カム２５＿１は、第１〜４の実施の形態のカム２５に対応する。カムの形状は、カム２５のようなＬ字状に限らず、カム２５＿１のようなＶ字状であってもよい。このように、カムの端部とカムの回動中心とを結ぶ２つの直線とのなす角を鍵操作部２３の鍵の回動動作の角度に応じて変更することができる。また、回動部２３ａの回動動作と連動して固定部材２７を溝２４ａ，２４ｂに対して嵌合・開放可能であれば、他の形状であってもよい。
【００８７】
なお、上述の説明では収納装置１に設けられた扉を例示したが、収納装置１に限らず、金庫のような単なる収納庫に設けられた扉に適用することもできる。
以上、ロック機構および収納装置を図示の実施の形態に基づいて説明したが、これらに限定されるものではなく、各部の構成は同様の機能を有する任意の構成のものに置換することができる。また、これらに他の任意の構成物や工程が付加されてもよい。また、これらは前述した実施の形態のうちの任意の２以上の構成（特徴）を組み合わせたものであってもよい。
【図面の簡単な説明】
【００８８】
【図１】収納装置の外観（背面）を示す図である。
【図２】第１の実施の形態の閉状態の扉を示す図である。
【図３】第１の実施の形態の開状態の扉を示す図である。
【図４】第２の実施の形態の扉を示す第１の図である。
【図５】第２の実施の形態の扉を示す第２の図である。
【図６】第２の実施の形態の扉を示す第３の図である。
【図７】第２の実施の形態の扉を示す第４の図である。
【図８】第２の実施の形態のカムの構成を示す図である。
【図９】第３の実施の形態の扉を示す第１の図である。
【図１０】第３の実施の形態の扉を示す第２の図である。
【図１１】第３の実施の形態の扉を示す第３の図である。
【図１２】第３の実施の形態の扉を示す第４の図である。
【図１３】第４の実施の形態の扉を示す第１の図である。
【図１４】第４の実施の形態の扉を示す第２の図である。
【図１５】第４の実施の形態の扉を示す第３の図である。
【図１６】第４の実施の形態の扉を示す第４の図である。
【図１７】固定部材による閂の他の固定方法を示す図である。
【図１８】カムの他の形状を示す図である。
【図１９】従来の閂を設けた扉の構成の一部を示す第１の図である。
【図２０】従来の閂を設けた扉の構成の一部を示す第２の図である。
【符号の説明】
【００８９】
１  収納装置
１０  本体
１１  受部
１１ａ  嵌合穴
２０  扉
２１  扉板
２１ａ  裏打部材
２１ｂ  支持部材
２２  ハンドル
２３  鍵操作部
２３ａ  回動部
２３ｂ  回動部
２４  閂
２４ａ，２４ｂ  溝
２４ｃ  長穴
２４ｄ  突起部
２４ｅ  凸部
２５，２５＿１  カム
２５ａ  軸
２５ｂ  接続部
２６  ケース部材
２６ａ  突起部
２６ｂ  接続部
２７  固定部材
２７ａ  突起部
２８  ボルト
２９  閂操作用機構
３１  姿勢固定用バネ
３２  バネ
【図１】
2010156105.tif 000003
【図２】
2010156105.tif 000004
【図３】
2010156105.tif 000005
【図４】
2010156105.tif 000006
【図５】
2010156105.tif 000007
【図６】
2010156105.tif 000008
【図７】
2010156105.tif 000009
【図８】
2010156105.tif 000010
【図９】
2010156105.tif 000011
【図１０】
2010156105.tif 000012
【図１１】
2010156105.tif 000013
【図１２】
2010156105.tif 000014
【図１３】
2010156105.tif 000015
【図１４】
2010156105.tif 000016
【図１５】
2010156105.tif 000017
【図１６】
2010156105.tif 000018
【図１７】
2010156105.tif 000019
【図１８】
2010156105.tif 000020
【図１９】
2010156105.tif 000021
【図２０】
2010156105.tif 000022